(57)【要約】【課題】  画像読取部を有効活用する。【解決手段】  画像出力部４を利用して画像データを印刷している際に、印刷装置１，２や孔版印刷機等の外部印刷装置を利用して印刷する画像データの読み取り指示を受けた場合、制御部５が、画像出力部４の動作を停止すると同時に、スキャナ３を利用した画像データの読み取り動作を開始する。また、画像データの読み取り動作が完了するのに応じて、制御部５は、画像出力部４の動作を再開させると同時に、読み取った画像データを外部印刷装置に出力する。これにより、画像データの印刷動作に起因する振動の影響を受けずに画像データの読み取り作業を行うことができるので、スキャナ３を有効活用することができる。【選択図】  図１
2005078458.tif 000002
【特許請求の範囲】
【請求項１】
画像データを読み取る画像読取部と、該画像読取部により読み取られた画像データの出力先を内部印刷装置と外部印刷装置との間で切り換える出力先選択部とを備える画像形成装置であって、
前記内部印刷装置を利用して画像データを印刷している際に前記外部印刷装置を利用して印刷する画像データの読み取り指示を受けるのに応じて、内部印刷装置を制御して画像データの印刷動作を停止すると共に、画像読取部を制御して画像データの読み取り動作を開始し、
画像データの読み取り動作が完了するのに応じて、内部印刷装置を制御して画像データの印刷動作を再開すると共に、読み取った画像データを外部印刷装置に出力する制御部
を備えることを特徴とする画像形成装置。
【請求項２】
画像データを読み取る画像読取部と、該画像読取部により読み取られた画像データの出力先を内部印刷装置と外部印刷装置との間で切り換える出力先選択部とを備える画像形成装置であって、
前記内部印刷装置を利用して画像データを印刷している際に前記外部印刷装置を利用して印刷する画像データの読み取り指示を受けるのに応じて、内部印刷装置を制御して画像データの印刷速度を低速にすると共に、画像読取部を制御して画像データの読み取り動作を開始し、
画像データの読み取り動作が完了するのに応じて、内部印刷装置を制御して画像データの印刷速度を通常速度に戻すと共に、読み取った画像データを外部印刷装置に出力する制御部
を備えることを特徴とする画像形成装置。
【請求項３】
画像データを読み取る画像読取部と、該画像読取部により読み取られた画像データの出力先を内部印刷装置と外部印刷装置との間で切り換える出力先選択部とを備える画像形成装置であって、
前記内部印刷装置を利用して画像データを印刷している際に前記外部印刷装置を利用して印刷する画像データの読み取り指示を受けるのに応じて、内部印刷装置を利用した画像データの残り印刷枚数が設定枚数以下であるか否かを判別し、
残り印刷枚数が設定枚数以下である場合、内部印刷装置を利用した印刷動作が完了するのに応じて、前記画像読取部を制御して画像データの読み取り動作を開始し、画像データの読み取り動作が完了するのに応じて、読み取った画像データを外部印刷装置に出力し、
残り印刷枚数が設定枚数以下でない場合には、内部印刷装置を制御して画像データの印刷動作を停止すると共に、画像読取部を制御して画像データの読み取り動作を開始し、画像データの読み取り動作が完了するのに応じて、内部印刷装置を制御して画像データの印刷動作を再開すると共に、読み取った画像データを外部印刷装置に出力する制御部
を備えることを特徴とする画像形成装置。
【請求項４】
画像データを読み取る画像読取部と、該画像読取部により読み取られた画像データの出力先を内部印刷装置と外部印刷装置との間で切り換える出力先選択部とを備える画像形成装置であって、
前記内部印刷装置を利用して画像データを印刷している際に前記外部印刷装置を利用して印刷する画像データの読み取り指示を受けるのに応じて、内部印刷装置を利用した画像データの残り印刷枚数が設定枚数以下であるか否かを判別し、
残り印刷枚数が設定枚数以下である場合、内部印刷装置を利用した印刷動作が完了するのに応じて、前記画像読取部を制御して画像データの読み取り動作を開始し、画像データの読み取り動作が完了するのに応じて、読み取った画像データを外部印刷装置に出力し、
残り印刷枚数が設定枚数以下でない場合には、内部印刷装置を制御して画像データの印刷速度を低速にすると共に、画像読取部を制御して画像データの読み取り動作を開始し、画像データの読み取り動作が完了するのに応じて、内部印刷装置を制御して画像データの印刷速度を通常速度に戻すと共に、読み取った画像データを外部印刷装置に出力する制御部
を備えることを特徴とする画像形成装置。
【請求項５】
画像データを読み取る画像読取部と、該画像読取部により読み取られた画像データの出力先を内部印刷装置と外部印刷装置との間で切り換える出力先選択部とを備える画像形成装置であって、
前記内部印刷装置を利用して所望の印刷速度で画像データを印刷している際に前記外部印刷装置へ出力する画像データの読み取り指示を受けるのに応じて、前記内部印刷装置の前記所望の印刷速度が基準速度より大きいと判断した場合は、前記所望の印刷速度を低速に制御すると共に、前記画像読取部を制御して前記外部印刷装置へ出力する画像データの読み取り動作を開始し、
読み取り動作が完了するのに応じて、前記内部印刷装置を制御して印刷速度を前記所望の印刷速度に戻すと共に、読み取った画像データを前記外部印刷装置に出力する制御部
を備えることを特徴とする画像形成装置。
【請求項６】
前記制御部は、前記内部印刷装置の所望の印刷速度が基準速度以下の場合は、印刷速度を維持したまま、前記画像読取部を制御して前記外部印刷装置へ出力する画像データの読み取り動作を開始し、読み取った画像データを前記外部印刷装置に出力する
ことを特徴とする請求項２記載の画像形成装置。
【発明の詳細な説明】
【技術分野】
【０００１】
本発明は、画像読取部により読み取られた画像データの出力先を内部印刷装置と外部印刷装置との間で切り換えることが可能な画像形成装置に関し、特に、内部印刷装置を利用して画像データを印刷している際も画像読取部の動作を許容すると同時に、画像データの印刷動作に起因する振動の影響を軽減することにより、画像読取部を有効活用することを可能にする技術に関する。
【背景技術】
【０００２】
従来より、スキャナ等の画像読取部と、画像読取部により読み取られた画像データを記録する画像記録部と、画像記録部に記録された画像データの出力先を内部印刷装置と外部印刷装置との間で切り換える出力先選択部とを備える画像形成装置が知られている。そして、このような画像形成装置によれば、ユーザは、画像データの印刷枚数が多い場合は印刷コストが安い孔版印刷機による印刷、印刷枚数が少ない場合にはＬＢＰ（レーザビームプリンタ）出力といった具合に、印刷枚数に応じて画像データの出力先を任意に変更することができる（例えば特許文献１，２を参照）。
【特許文献１】特開２００３−１３１８４３
【特許文献２】特開２０００−８１９６０
【発明の開示】
【発明が解決しようとする課題】
【０００３】
しかしながら、従来までの画像形成装置では、内部印刷装置を利用して画像データの印刷動作を実行している場合には、印刷動作に起因する振動が画像データの読み取り動作に悪影響を与える等の理由により、画像読取部の動作が禁止されている。従って、従来までの画像形成装置によれば、内部印刷装置が印刷動作を実行している間は、外部印刷装置への画像データの出力を行うことができず、少枚数の印刷物を他のプリンタに急いで出力させたい時などに不都合が生じていた。
【０００４】
本発明は、このような課題を解決するためになされたものであり、その目的は、内部印刷装置を利用して画像データの印刷動作を実行している場合でも、画像読取部を有効活用し外部印刷装置への画像データの出力を可能とすることで、作業効率を向上させることができる画像形成装置を提供することにある。
【課題を解決するための手段】
【０００５】
本発明に係る画像形成装置の第１の特徴は、画像データを読み取る画像読取部と、画像読取部により読み取られた画像データの出力先を内部印刷装置と外部印刷装置との間で切り換える出力先選択部とを備える画像形成装置であって、内部印刷装置を利用して画像データを印刷している際に外部印刷装置を利用して印刷する画像データの読み取り指示を受けるのに応じて、内部印刷装置を制御して画像データの印刷動作を停止すると共に、画像読取部を制御して画像データの読み取り動作を開始し、画像データの読み取り動作が完了するのに応じて、内部印刷装置を制御して画像データの印刷動作を再開すると共に、読み取った画像データを外部印刷装置に出力する制御部を備えることにある。
【０００６】
また、本発明に係る画像形成装置の第２の特徴は、画像データを読み取る画像読取部と、画像読取部により読み取られた画像データの出力先を内部印刷装置と外部印刷装置との間で切り換える出力先選択部とを備える画像形成装置であって、内部印刷装置を利用して画像データを印刷している際に外部印刷装置を利用して印刷する画像データの読み取り指示を受けるのに応じて、内部印刷装置を制御して画像データの印刷速度を低速にすると共に、画像読取部を制御して画像データの読み取り動作を開始し、画像データの読み取り動作が完了するのに応じて、内部印刷装置を制御して画像データの印刷速度を通常速度に戻すと共に、読み取った画像データを外部印刷装置に出力する制御部を備えることにある。
【０００７】
さらに、本発明に係る画像形成装置の第３の特徴は、画像データを読み取る画像読取部と、画像読取部により読み取られた画像データの出力先を内部印刷装置と外部印刷装置との間で切り換える出力先選択部とを備える画像形成装置であって、内部印刷装置を利用して画像データを印刷している際に外部印刷装置を利用して印刷する画像データの読み取り指示を受けるのに応じて、内部印刷装置を利用した画像データの残り印刷枚数が設定枚数以下であるか否かを判別し、残り印刷枚数が設定枚数以下である場合、内部印刷装置を利用した印刷動作が完了するのに応じて、画像読取部を制御して画像データの読み取り動作を開始し、画像データの読み取り動作が完了するのに応じて、読み取った画像データを外部印刷装置に出力し、残り印刷枚数が設定枚数以下でない場合には、内部印刷装置を制御して画像データの印刷動作を停止すると共に、画像読取部を制御して画像データの読み取り動作を開始し、画像データの読み取り動作が完了するのに応じて、内部印刷装置を制御して画像データの印刷動作を再開すると共に、読み取った画像データを外部印刷装置に出力する制御部を備えることにある。
【０００８】
また、本発明に係る画像形成装置の第４の特徴は、画像データを読み取る画像読取部と、画像読取部により読み取られた画像データの出力先を内部印刷装置と外部印刷装置との間で切り換える出力先選択部とを備える画像形成装置であって、内部印刷装置を利用して画像データを印刷している際に外部印刷装置を利用して印刷する画像データの読み取り指示を受けるのに応じて、内部印刷装置を利用した画像データの残り印刷枚数が設定枚数以下であるか否かを判別し、残り印刷枚数が設定枚数以下である場合、内部印刷装置を利用した印刷動作が完了するのに応じて、画像読取部を制御して画像データの読み取り動作を開始し、画像データの読み取り動作が完了するのに応じて、読み取った画像データを外部印刷装置に出力し、残り印刷枚数が設定枚数以下でない場合には、内部印刷装置を制御して画像データの印刷速度を低速にすると共に、画像読取部を制御して画像データの読み取り動作を開始し、画像データの読み取り動作が完了するのに応じて、内部印刷装置を制御して画像データの印刷速度を通常速度に戻すと共に、読み取った画像データを外部印刷装置に出力する制御部を備えることにある。
【０００９】
また、本発明に係る画像形成装置の第５の特徴は、画像データを読み取る画像読取部と、該画像読取部により読み取られた画像データの出力先を内部印刷装置と外部印刷装置との間で切り換える出力先選択部とを備える画像形成装置であって、前記内部印刷装置を利用して所望の印刷速度で画像データを印刷している際に前記外部印刷装置へ出力する画像データの読み取り指示を受けるのに応じて、前記内部印刷装置の前記所望の印刷速度が基準速度より大きいと判断した場合は、前記所望の印刷速度を低速に制御すると共に、前記画像読取部を制御して前記外部印刷装置へ出力する画像データの読み取り動作を開始し、読み取り動作が完了するのに応じて、前記内部印刷装置を制御して印刷速度を前記所望の印刷速度に戻すと共に、読み取った画像データを前記外部印刷装置に出力する制御部を備えることにある。
【００１０】
また、本発明に係る画像形成装置の第６の特徴は、前記第２の特徴において、前記制御部は、前記内部印刷装置の所望の印刷速度が基準速度以下の場合は、印刷速度を維持したまま、前記画像読取部を制御して前記外部印刷装置へ出力する画像データの読み取り動作を開始し、読み取った画像データを前記外部印刷装置に出力することにある。
【発明の効果】
【００１１】
本発明に係る画像形成装置によれば、内部印刷装置を利用して画像データを印刷している際に外部印刷装置を利用して印刷する画像データの読み取り指示を受けた場合、内部印刷装置の印刷動作を停止して画像データの読み取り動作を開始し、画像データの読み取り動作か完了するのに応じて、内部印刷装置の動作を再開させて読み取った画像データを外部印刷装置に出力する。これにより、画像データの印刷動作に起因する振動の影響を受けずに画像データの読み取り作業を行うことができるので、画像読取部を有効活用することができる。
【００１２】
また、本発明に係る画像形成装置によれば、内部印刷装置を利用して画像データを印刷している際に外部印刷装置を利用して印刷する画像データの読み取り指示を受けた場合、内部印刷装置の印刷速度を低速にして画像データの読み取り動作を開始し、画像データの読み取り動作か完了するのに応じて、内部印刷装置の印刷速度を通常の速度に戻して読み取った画像データを外部印刷装置に出力する。これにより、画像データの印刷動作に起因する振動の影響を軽減させて画像データの読み取り作業を行うことができるので、画像読取部を有効活用することができる。
【００１３】
さらに、本発明に係る画像形成装置によれば、内部印刷装置を利用して画像データを印刷している際に外部印刷装置を利用して印刷する画像データの読み取り指示を受けた場合、内部印刷装置を利用した画像データの残り印刷枚数が設定枚数以下であるか否かを判別し、残り印刷枚数が設定枚数以下である場合、内部印刷装置を利用した印刷動作を継続させ、残り印刷枚数が設定枚数以下でない場合には、内部印刷装置の印刷動作を停止して画像データの読み取り動作を開始、画像データの読み取り動作か完了するのに応じて、内部印刷装置の動作を再開させて読み取った画像データを外部印刷装置に出力する。これにより、画像データの印刷動作に起因する振動の影響を受けずに画像データの読み取り作業を行うことができるので、画像読取部を有効活用することができる。
【００１４】
また、本発明に係る画像形成装置によれば、内部印刷装置を利用して画像データを印刷している際に外部印刷装置を利用して印刷する画像データの読み取り指示を受けた場合、内部印刷装置を利用した画像データの残り印刷枚数が設定枚数以下であるか否かを判別し、残り印刷枚数が設定枚数以下である場合、内部印刷装置を利用した印刷動作を継続させ、残り印刷枚数が設定枚数以下でない場合には、内部印刷装置の印刷速度を低速にして画像データの読み取り動作を開始し、画像データの読み取り動作か完了するのに応じて、内部印刷装置の印刷速度を通常の速度に戻して読み取った画像データを外部印刷装置に出力する。これにより、画像データの印刷動作に起因する振動の影響を軽減させて画像データの読み取り作業を行うことができるので、画像読取部を有効活用することができる。
【００１５】
また、本発明に係る画像形成装置によれば、内部印刷装置を利用して所望の印刷速度で画像データを印刷している際に外部印刷装置へ出力する画像データの読み取り指示を受けるのに応じて、内部印刷装置の前記所望の印刷速度が基準速度より大きいと判断した場合は、所望の印刷速度を低速に制御すると共に、画像読取部を制御して外部印刷装置へ出力する画像データの読み取り動作を開始し、読み取り動作が完了するのに応じて、内部印刷装置を制御して印刷速度を所望の印刷速度に戻すと共に、読み取った画像データを外部印刷装置に出力する。これにより、画像データの印刷動作に起因する振動の影響を軽減させて画像データの読み取り作業を行うことができるので、画像読取部を有効活用することができる。
【００１６】
また、本発明に係る画像形成装置によれば、内部印刷装置を利用して画像データを印刷している際に前記外部印刷装置を利用して印刷する画像データの読み取り指示を受けるのに応じて、内部印刷装置を制御して画像データの印刷速度を低速にすると共に、画像読取部を制御して画像データの読み取り動作を開始し、画像データの読み取り動作が完了するのに応じて、内部印刷装置を制御して画像データの印刷速度を通常速度に戻すと共に、読み取った画像データを外部印刷装置に出力し、内部印刷装置の所望の印刷速度が基準速度以下の場合は、印刷速度を維持したまま、外部印刷装置へ出力する画像データの読み取り動作を開始し、読み取った画像データを外部印刷装置に出力する。これにより、画像データの印刷動作に起因する振動の影響を軽減させて画像データの読み取り作業を行うことができるので、画像読取部を有効活用することができる。
【発明を実施するための最良の形態】
【００１７】
以下、図面を参照して、本発明の一実施例となる孔版印刷機の構成及び動作について詳しく説明する。
【００１８】
〔孔版印刷機の構成〕
始めに、図１を参照して、本発明の一実施例となる孔版印刷機の構成について説明する。
【００１９】
本発明の一実施例となる孔版印刷機１は、図１に示すように、原稿２の画像データを読み取るスキャナ（＝画像読取部）３と、孔版印刷処理により画像データを印刷する画像出力部４（＝内部印刷装置）と、孔版印刷機１の動作を制御する制御部５と、制御部５に対して各種指示を入力するための操作パネル６（＝出力先選択部）とを備える。
【００２０】
ここで、上記制御部５は、ＣＰＵ（Central Processing Unit）や不揮発性メモリを有するマイクロコンピュータを備え、スキャナ３によって読み取られた画像データや操作パネル６を介して入力された各種指示情報（例えば、画像データの出力先情報等）を記憶することができるように構成されている。
【００２１】
また、上記操作パネル６には、タッチパネルにより構成され、オペレータが画像データの出力先を内部印刷装置（＝画像出力部４）と孔版印刷機１に接続された外部印刷装置（例えば、レーザビームプリンタ（印刷装置１），インクジェットプリンタ（印刷装置２），孔版印刷機等）との間で切り換える際に操作するボタン、各種処理のスタート／ストップボタン、印刷速度を設定する印刷枚数を入力するためのテンキー等が設けられている。
【００２２】
さらに、上記操作パネル６上に、画像データの印刷枚数が多い場合は印刷コストが安い画像出力部４を利用した印刷動作、印刷枚数が少ない場合には外部印刷装置を利用した印刷動作といった具合に、オペレータが画像データの出力先を印刷枚数に従って指定可能なボタンを設けてもよい。また、印刷コストが安くなる出力先を印刷枚数に応じて制御部６に自動的に決定させるボタンを操作パネル５上に設けてもよい。
【００２３】
〔孔版印刷機の動作〕
次に、外部印刷装置を利用して印刷する画像データの読み取り指示が入力された際の本発明の第１〜第３の実施例となる孔版印刷機１の動作について説明する。
【実施例１】
【００２４】
始めに、図２に示すフローチャートと図３に示すタイミングチャートを参照して、外部印刷装置を利用して印刷する画像データの読み取り指示が入力された際の、第１の実施例となる孔版印刷機１の動作（制御処理）について説明する。
【００２５】
なお、画像データの読み取り指示は、例えば、操作パネル６上に設けられたスイッチをオペレータが押下する、若しくは、孔版印刷処理中と表示された操作パネル６の一部の領域（例えば、「割り込みモード」と表示された領域）をオペレータが触れる等の方法により入力することができる。
【００２６】
図２に示すフローチャートは、外部印刷装置を利用して印刷する画像データの読み取り指示が入力されるのに応じて開始（図３に示すタイミングt=t0）となり、この制御処理はステップＳ１の処理に進む。
【００２７】
ステップＳ１の処理では、制御部５が、画像出力部４を利用した孔版印刷処理中であるか否かを判別する。そして、判別の結果、孔版印刷処理中でない場合、制御部５は、ステップＳ２の処理として、スキャナ３を制御して画像データを読み取り、読み取られた画像データを操作パネル６を介して指定された出力先に出力する、通常の出力処理を行う。一方、孔版印刷処理中である場合には、制御部５は、制御処理をステップＳ１の処理からステップＳ３の処理に進める。
【００２８】
ステップＳ３の処理では、制御部５が、画像出力部４を制御して孔版印刷処理を停止すると共に、スキャナ３を制御して画像データの読み取り動作を開始する（図３に示すタイミングt=t1）。これにより、このステップＳ３の処理は完了し、この制御処理はステップＳ３の処理からステップＳ４の処理に進む。
【００２９】
ステップＳ４の処理では、制御部５が、画像データの読み取り動作が完了したか否かを判別する。そして、画像データの読み取り動作が完了するのに応じて、制御部５は、ステップＳ５の処理として、画像出力部４を制御して停止した孔版印刷処理を再開させると共に、スキャナ３によって読み取られた画像データを外部印刷装置に出力する（図３に示すタイミングt=t2）。これにより、一連の制御処理は完了する。
【００３０】
以上の説明から明らかなように、本発明の第１の実施例となる孔版印刷機１によれば、画像出力部４を利用して画像データを印刷している際に、外部印刷装置を利用して印刷する画像データの読み取り指示を受けた場合、制御部５が、画像出力部４の動作を停止すると同時に、スキャナ３を利用した画像データの読み取り動作を開始する。また、画像データの読み取り動作が完了するのに応じて、制御部５は、画像出力部４の動作を再開させると同時に、読み取った画像データを外部印刷装置に出力する。そして、このような構成によれば、画像データの印刷動作に起因する振動の影響を受けずに画像データの読み取り作業を行うことができるので、スキャナ３を有効活用することができる。また、孔版印刷機は、印刷枚数が多くなればなるほど一枚当りの印刷コストが安くなるという特徴を有するために、孔版印刷機を利用して千枚単位の印刷作業を行うことも少なくないが、本発明の第１の実施例となる孔版印刷機１によれば、孔版印刷処理中に画像データの読み取り及び外部出力動作を行うことができるので、生産性高く印刷作業を行うことができる。
【実施例２】
【００３１】
次に、図４に示すフローチャートを参照して、外部印刷装置を利用して印刷する画像データの読み取り指示が入力された際の、第２の実施例となる孔版印刷機１の動作について説明する。
【００３２】
尚、孔版印刷機１の印刷速度は、１速＝６０ｒｐｍ、２速＝８０ｒｐｍ、３速＝１００ｒｐｍ、４速＝１１０ｒｐｍ、５速＝１３０ｒｐｍと設定され、オペレータが操作パネル６を介して各速度を指定できるものとする。
【００３３】
図４に示すフローチャートは、外部印刷装置を利用して印刷する画像データの読み取り指示が入力されるのに応じて開始となり、この制御処理はステップＳ１１の処理に進む。
【００３４】
ステップＳ１１の処理では、制御部５が、画像出力部４を利用した孔版印刷処理中であるか否かを判別する。そして、判別の結果、孔版印刷処理中でない場合、制御部５は、ステップＳ１２の処理として、スキャナ３を制御して画像データを読み取り、読み取られた画像データを操作パネル６を介して指定された出力先に出力する、通常の出力処理を行う。一方、ステップＳ１１の判別処理の結果、孔版印刷処理中である場合には、制御部５は、制御処理をステップＳ１１の処理からステップＳ１３の処理に進める。
【００３５】
ステップＳ１３の処理では、制御部５が孔版印刷処理の印刷速度を判定する。判定の結果、印刷速度が基準速度を上回っていた場合はステップＳ１４の処理に進み、基準速度以下であった場合はステップＳ１２の処理に進み通常の出力処理を行う。
【００３６】
ステップＳ１４の処理では、制御部５が、画像出力部４を制御して孔版印刷処理の印刷速度を低速にすると共に、スキャナ３を制御して外部印刷装置を利用して印刷する画像データの読み取り動作を開始する。具体例としては、まず基準速度を１速（６０ｒｐｍ）とした場合、ステップＳ１３で判定した印刷速度が２速から５速の間（８０〜１３０ｒｐｍ）である場合は速度をすべて１速に落とし、既に基準速度である１速で印刷が行われている場合は、その速度を維持したまま外部印刷装置へ通常の出力処理を行う。また、基準速度を３速（１００ｒｐｍ）とした場合、ステップＳ１３で判定した印刷速度が４速又は５速（１１０ｒｐｍ又は１３０ｒｐｍ）である時は、印刷速度を１速から３速の間の速度（６０ｒｐｍ〜１００ｒｐｍ）に落とし、既に１速から３速の間の速度で印刷が行われている場合は、その速度を維持したまま外部印刷装置へ通常の出力を行う。
【００３７】
ステップＳ１５の処理では、制御部５が、画像データの読み取り動作が完了したか否かを判別する。そして、画像データの読み取り動作が完了するのに応じて、制御部５は、ステップＳ１６の処理として、画像出力部４を制御して孔版印刷処理の印刷速度を通常の速度に戻すと共に、読み取った画像データを外部印刷装置に出力する。これにより、一連の制御処理は完了する。
【００３８】
以上の説明から明らかなように、本発明の第２の実施例となる孔版印刷機１によれば、画像出力部４を利用して画像データを印刷している際に外部印刷装置を利用して印刷する画像データの読み取り指示を受けた場合、制御部５が、画像出力部４の印刷速度を低速にすると同時に、スキャナ３を利用した画像データの読み取り動作を開始する。また、画像データの読み取り動作が完了するのに応じて、制御部５は、画像出力部４の印刷速度を通常の速度に戻すと同時に、読み取った画像データを外部印刷装置に出力する。そして、このような構成によれば、画像データの印刷動作に起因する振動の影響を軽減させて画像データの読み取り作業を行うことができるので、スキャナ３を有効活用することができる。
【００３９】
尚、本実施例では基準速度を設けて低速制御の判断を行っているが、基準速度を設けずに、低速制御を行うようにしてもよい。例えば、印刷速度を５速で印刷している時は４速に落とし、４速で印刷している時は３速に落とすというように、印刷中の任意の速度をすべて１速ずつ落とすように設定してもよい。その場合、既に１速で印刷が行われている場合でも、１速よりも更に低速（６０ｒｐｍ以下）に制御できるように設定する。
【実施例３】
【００４０】
最後に、図５に示すフローチャートを参照して、外部印刷装置を利用して印刷する画像データの読み取り指示が入力された際の、第３の実施例となる制御部５の動作について説明する。
【００４１】
図５に示すフローチャートは、外部印刷装置を利用して印刷する画像データの読み取り指示が入力されるのに応じて開始となり、この制御処理はステップＳ２１の処理に進む。
【００４２】
ステップＳ２１の処理では、制御部５が、画像出力部４を利用した孔版印刷処理中であるか否かを判別する。そして、判別の結果、孔版印刷処理中でない場合、制御部５は、ステップＳ２２の処理として、スキャナ３を制御して画像データを読み取り、読み取られた画像データを操作パネル６を介して指定された出力先（画像出力部４又は外部印刷装置）に出力する。
【００４３】
一方、ステップＳ２１の判別処理の結果、孔版印刷処理中である場合には、制御部５は、ステップＳ２３の処理として、残りの印刷枚数が設定枚数以下であるか否かを判別する。そして、判別の結果、残りの印刷枚数が設定枚数以下である場合、制御部５は、ステップＳ２４の処理として、孔版印刷処理が完了するまで待機し、孔版印刷処理が完了するのに応じて制御処理をステップＳ２４の処理からステップＳ２２の処理に戻す。なお、上記設定枚数はオペレータにより設定可能であり、設定された値は制御部５内の不揮発性メモリに記憶されているものとする。
【００４４】
一方、ステップＳ２３の判別処理の結果、残りの印刷枚数が設定枚数以下でない場合には、制御部５は、ステップＳ２５の処理として、画像出力部４を制御して、画像データの印刷動作を停止、若しくは、画像データの印刷速度を低速にすると共に、スキャナ３を制御して画像データの読み取り動作を開始する。そして、ステップＳ２５の処理が完了するのに応じて、制御部５は、制御処理をステップＳ２５の処理からステップＳ２６の処理に進める。
【００４５】
ステップＳ２６の処理では、制御部５が、画像データの読み取り動作が完了したか否かを判別する。そして、画像データの読み取り動作が完了するのに応じて、制御部５は、ステップＳ２７の処理として、画像出力部４を制御して、画像データの印刷動作を再開、若しくは、印刷速度を通常速度に制御すると共に、スキャナ３を制御して読み取った画像データを外部印刷装置に出力する。これにより、一連の制御処理は終了する。
【００４６】
なお、上記ステップＳ２５の処理において、画像データの印刷動作を停止、若しくは、画像データの印刷速度を低速にするか及び設定枚数は、操作パネル６を介してオペレータにより予め設定されるか、デフォルトでどちらかの処理に設定されているものとする。そして、この設定情報は制御部５内の不揮発性メモりに記憶され、制御部５は不揮発性メモり内に記憶されている情報に従って上記制御処理を実行する。
【００４７】
以上の説明から明らかなように、本発明の第３の実施例となる孔版印刷機１によれば、画像出力部４を利用して画像データを印刷している際に外部印刷装置を利用して印刷する画像データの読み取り指示を受けた場合、制御部５が、画像出力部４を利用した画像データの残り印刷枚数が設定枚数以下であるか否かを判別し、残り印刷枚数が設定枚数以下である場合、画像出力部４を利用した印刷動作を継続させる。一方、残り印刷枚数が設定枚数以下でない場合には、制御部５は、画像出力部４の印刷動作を停止若しくは印刷速度を低速にして画像データの読み取り動作を行い、画像データの読み取り動作か完了するのに応じて、画像出力部４の印刷動作を再開若しくは印刷速度を通常の速度に戻して読み取った画像データを外部印刷装置に出力する。そして、このような構成によれば、画像データの印刷動作に起因する振動を無くして、若しくは、振動の影響を軽減させて画像データの読み取り作業を行うことができるので、スキャナ３を有効活用することができる。
【００４８】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【産業上の利用可能性】
【００４９】
本発明は、孔版印刷機に適用することができる。
【図面の簡単な説明】
【００５０】
【図１】本発明の一実施例となる孔版印刷機の構成を示すブロック図である。
【図２】図１に示す孔版印刷機の第１の実施例となる動作を示すフローチャート図である。
【図３】図１に示す孔版印刷機の第１の実施例となる動作を説明するためのタイミングチャート図である。
【図４】図１に示す孔版印刷機の第２の実施例となる動作を示すフローチャート図である。
【図５】図１に示す孔版印刷機の第３の実施例となる動作を示すフローチャート図である。
【符号の説明】
【００５１】
１：孔版印刷機
３：スキャナ
４：画像出力部
５：制御部
６：操作パネル
【図１】
2005078458.tif 000003
【図２】
2005078458.tif 000004
【図３】
2005078458.tif 000005
【図４】
2005078458.tif 000006
【図５】
2005078458.tif 000007